(57)【要約】 【課題】コンクリート製で多数の貫通穴を穿設した残存型枠が、構造物の表面に使用でき、且つ、天然石の化粧ブロックが容易に取付けられ、工事現場で残存型枠の化粧化が簡単にできると共に種々の化粧パターンの自由度も可能となる残存型枠における表面化粧方法を提供することを目的とする。【解決手段】多数の貫通穴（1a）を穿設したコンクリート製の残存型枠（１）を枠組する。その枠組した残存型枠（１）の表面に化粧ブロック（２）を設置させる。その状態で前記貫通穴（1a）のピッチに合せて前記化粧ブロック（２）の裏面に溝穴（2a）を穿設する。次いで前記貫通穴（1a）から前記溝穴（2a）にアンカーボルト（３）を挿入し、該アンカーボルト（３）に少なくともナット（４）を螺合して前記残存型枠（１）に順次多数の前記化粧ブロック（２）を取付ける。【選択図】図１
2007046306.tif 000002
【特許請求の範囲】
【請求項１】
多数の貫通穴（1a）を穿設したコンクリート製の残存型枠（１）を枠組し、その枠組した残存型枠（１）の表面に化粧ブロック（２）を設置させ、その状態で前記貫通穴（1a）のピッチに合せて前記化粧ブロック（２）の裏面に溝穴（2a）を穿設し、次いで前記貫通穴（1a）から前記溝穴（2a）にアンカーボルト（３）を挿入し、該アンカーボルト（３）に少なくともナット（４）を螺合し、前記残存型枠（１）に順次多数の前記化粧ブロック（２）を取付けたことを特徴とする残存型枠における表面化粧方法。
【請求項２】
多数の貫通穴（1a）を穿設したコンクリート製の残存型枠（１）を枠組し、その枠組した残存型枠（１）の表面に化粧ブロック（２）を仮設置し、その状態で前記貫通穴（1a）のピッチに合せて前記化粧ブロック（２）の裏面に溝穴（2a）を穿設し、次いで前記化粧ブロック（２）を前記残存型枠（１）から外し、前記溝穴（2a）にアンカーナット（12）を打ち込み固着させ、そのアンカーナット（12）にネジ棒（13）を螺合し、そのネジ棒（13）を前記残存型枠（１）の表面側から前記貫通穴（1a）に挿通し、前記化粧ブロック（２）を前記残存型枠（１）の表面に設置させ、その挿通した前記ネジ棒（13）に少なくともナット（４）を螺合し、前記残存型枠（１）に順次多数の前記化粧ブロック（２）を取付けたことを特徴とする残存型枠における表面化粧方法。
【請求項３】
枠組した前記残存型枠（１）の表面側から、その表面側に突起する複数のスペーサー（14）を前記貫通穴（1a）に取付け、次いで前記残存型枠（１）に前記化粧ブロック（２）を隙間（イ）を設けて取付けた請求項１又は２記載の残存型枠における表面化粧方法。
【請求項４】
前記残存型枠（１）の裏面側に設置した座金部材（５）を介して前記ナット（４）を螺合した請求項1、２、３記載の残存型枠における表面化粧方法。
【発明の詳細な説明】
【技術分野】
【０００１】
本発明は、コンクリート製の擁壁，砂防ダム，橋脚等の構造物を施工する際に、そのものが型枠として使用され、コンクリート打設後にコンクリートの表面に残存する残存型枠であって、その残存型枠が多数の貫通穴を穿設した表面に化粧を施していないものに対し、その表面を化粧する方法に関する。
【背景技術】
【０００２】
従来、コンクリート製の擁壁，砂防ダム，橋脚等の構造物を施工する際に、施工の容易さ、表面仕上りの美しさ、環境との調和などから、コンクリート打設用の型枠として使用し、コンクリートが固化後にその表面に残存する残存型枠が使用されている。
【０００３】
この残存型枠としては、表面に石風、木風等の化粧を施したもの、あるいは化粧をせずに多数の貫通穴を穿設したもの等のタイプがあり、表面に化粧を施した残存型枠においては、主として構造物の人目に付く側に用いられ、他方、多数の貫通穴を穿設したものは、化粧を施していないため構造物の人目に付かない裏面側に主として使用される。この貫通穴を穿設した残存型枠としては、特開平１０−３０６４６１号，特開平１０−２９２３９９号等で開示されている。
【特許文献１】特開平１０−３０６４６１号公報
【特許文献２】特開平１０−２９２３９９号公報
【発明の開示】
【発明が解決しようとする課題】
【０００４】
しかしながら、上記した化粧仕上を施した各残存型枠においては、コンクリート製の残存型枠本体の表面に施した化粧が一定のパターンであり、施工する種々構造物の表面意匠の要求に応じるためには、常時種々の化粧パターンの残存型枠を用意しなければならず、そのための製造費や、在庫量が増大し、施工コストが高くなるという問題点があった。つまり、本来、化粧部分を除くコンクリート製の残存型枠本体は共通であっても、化粧部分の意匠が変わる毎に残存型枠本体も合せて製造しなければならず、それらを在庫として大量に用意しなければならなくなるという問題点があった。
【０００５】
また、上記の化粧を施した残存型枠においては、工事現場で残存型枠自体の意匠を変更することはできず、搬入した残存型枠の意匠に限られ、工事現場での意匠変更の自由度がないという問題点を有していた。
【０００６】
本発明は、コンクリート製で多数の貫通穴を穿設した残存型枠が、構造物の表面に使用でき、且つ、天然石の化粧ブロックが容易に取付けられ、工事現場で残存型枠の化粧化が簡単にできると共に種々の化粧パターンの自由度も可能となる残存型枠における表面化粧方法を提供することを目的とする。
【課題を解決するための手段】
【０００７】
上記問題点を解決するために本発明は、多数の貫通穴（1a）を穿設したコンクリート製の残存型枠（１）を枠組する。その枠組した残存型枠（１）の表面に化粧ブロック（２）を設置させ、その状態で前記貫通穴（1a）のピッチに合せて前記化粧ブロック（２）の裏面に溝穴（2a）を穿設し、次いで前記貫通穴（1a）から前記溝穴（2a）にアンカーボルト（３）を挿入し、該アンカーボルト（３）に少なくともナット（４）を螺合して前記残存型枠（１）に順次多数の前記化粧ブロック（２）を取付けたことを特徴とする。
【０００８】
また、多数の貫通穴（1a）を穿設したコンクリート製の残存型枠（１）を枠組する。その枠組した残存型枠（１）の表面に化粧ブロック（２）を仮設置し、その状態で前記貫通穴（1a）のピッチに合せて前記化粧ブロック（２）の裏面に溝穴（2a）を穿設し、次いで前記化粧ブロック（２）を前記残存型枠（１）から外し、前記溝穴（2a）にアンカーナット（12）を打ち込み固着させ、そのアンカーナット（12）にネジ棒（13）を螺合させ、そのネジ棒（13）を前記残存型枠（１）の表面側から前記貫通穴（1a）に挿通し、前記化粧ブロック（２）を前記残存型枠（１）の表面に設置させ、その挿通した前記ネジ棒（13）に少なくともナット（４）を螺合し、前記残存型枠（１）に順次多数の前記化粧ブロック（２）を取付けたことを特徴とする。
【０００９】
枠組した前記残存型枠（１）の表面側から、その表面側に突起する複数のスペーサー（14）を前記貫通穴（1a）に取付ける。次いで前記残存型枠（１）に前記化粧ブロック（２）を隙間（イ）を設けて取付けるのが好ましい。
【００１０】
前記残存型枠（１）の裏面側に設置した座金部材（５）を介して前記ナット（４）を螺合するのが好ましい。
【００１１】
本発明に使用する残存型枠（１）は、化粧仕上を施していないコンクリート製のパネルであり、且つ多数の貫通穴（1a）を等ピッチで穿設したものを原則とするも、貫通穴（1a）の形状及び間隔は限定されない。つまり、貫通穴（1a）の断面形状についても、一方側に大きな座ぐり穴（1b）を形成したものを使用するのが好ましいが、これについてもこの形状に限定されない。
【発明の効果】
【００１２】
本発明は、多数の貫通穴（1a）を穿設したコンクリート製の残存型枠（１）を枠組した後に、その表面に多数の化粧ブロック（２）をアンカーボルト（３）とナット（４）あるいはアンカーナット（12）に螺合したネジ棒（13）とナット（４）で固着させる方法であるから、化粧を施していない残存型枠（１）の表面に種々の天然石でもって任意に化粧することができる。つまり多数の貫通穴（1a）を穿設した残存型枠（１）は、通常構造物の人目に付かない裏側に使用されるため、その表面には化粧を施していないが、この化粧のない残存型枠（１）に対して、本発明では後から自由に化粧仕上を施した残存型枠（１）にできるため、表用残存型枠（１）として構造物の人目に付く表側にも使用することが可能となる。このことは、初めから表用残存型枠（１）として高価な意匠の異なる化粧仕上を施した残存型枠を多種類用意する必要がなく、施工において主要な残存型枠（１）は化粧を施していない安価な多数の貫通穴（1a）を穿設した残存型枠（１）を用意すればよく、残存型枠（１）の化粧化に必要となる比較的高価な化粧ブロック（２）は、その物だけを異なる天然石毎に別々に用意すればよく、これにより、化粧の施していない残存型枠（１）はどの構造物及び箇所にも使用でき、使用における共通化をもたらすと共に、製造コストの低下、在庫管理の容易さ等の効果を有する。
【００１３】
また、本発明では、残存型枠（１）に化粧ブロック（２）を固着するのに、残存型枠（１）に穿設された貫通穴（1a）を利用し、そこにアンカーボルト（３）やネジ棒（13）が挿通できるため、残存型枠（１）にアンカーボルト（３）やネジ棒（13）を挿通させるバカ穴を穿設する必要がなく、化粧ブロック（２）は残存型枠（１）にアンカーボルト（３）やネジ棒（13）とナット（４）でもって容易に固着できる。
【００１４】
また、多数の貫通穴（1a）を穿設した残存型枠（１）に化粧ブロック（２）を固着した状態においては、アンカーボルト（３）あるいはネジ棒（13）が挿通されない多数の貫通穴（1a）から、打設コンクリートが化粧ブロック（２）の裏側に流入し、残存型枠（１）と化粧ブロック（２）間に充填し、それが固化することにより残存型枠（１）と化粧ブロック（２）とを固着する役目を成す。従って、本発明では、残存型枠（１）と化粧ブロック（２）との固着が、前記アンカーボルト（３）と打設コンクリートとの両者で強固に固着されるのである。
【００１５】
特に、本発明の請求項３では、残存型枠（１）の表面側に設けたスペーサー（14）により、残存型枠（１）と化粧ブロック（２）間に隙間（イ）を確保させているため、その隙間（イ）に打設コンクリートが充填し、残存型枠（１）と化粧ブロック（２）との結合性をより高める。
【００１６】
更に、本発明では、化粧ブロック（２）の裏面に複数の溝穴（2a）を穿設するのには、必ず、残存型枠（１）の貫通穴（1a）と同一のピッチで穿設しなければならないが、本発明では残存型枠（１）が溝穴（2a）を穿設するための冶具となり、単に化粧ブロック（２）の裏面側を枠組した残存型枠（１）に設置するだけで、固着に必要な貫通穴（1a）に挿入させたドリルでもって、正確なピッチの溝穴（2a）が簡単に穿設され、どんな形状の化粧ブロック（２）の組合せでも、それらを取付けるのに必要なピッチの溝穴（2a）が正確に得られると共に作業性もよい。
【発明を実施するための最良の形態】
【００１７】
以下、本発明の実施形態につき、図を基に説明する。図１は本発明の化粧方法を示す説明図、図２は本発明のアンカーボルトを使用した要部拡大図、図３は本発明のアンカーナットとネジ棒を使用した要部拡大図である。
【００１８】
図１の（ａ）に示すように、先ず、基礎コンクリート（９）上に残存型枠（１）を段積させる。この残存型枠（１）は一定厚さと面積を有した表面が化粧仕上を施していないコンクリート素地のままのコンクリート系パネルであり、このパネルには多数の貫通穴（1a）を一定間隔で穿設している。また、この貫通穴（1a）は、その形状が一方側を大きくテーパー状に座ぐり、その座ぐり穴（1b）から他方側に小径の穴を貫通させている。従って、この貫通穴（1a）の断面形状は、全体としてテーパー状の段付貫通穴に形成したものを使用するのが好ましい。そして、残存型枠（１）を段積する際には、通常は座ぐり穴（1b）側を内側に向けて枠組されるが、貫通穴（1a）が大きく座ぐられた座ぐり穴（1b）側を外側に向けて段積してもよい。この残存型枠（１）については、本発明者が提案した特開平１０−３０６４６１号で説明した通りであるので、これ以上の説明は省略する。
【００１９】
図１（ａ）では残存型枠（１）を２段積した枠組状態を示している。この枠組においては、上下の残存型枠（１）が接続金具（６）で挟持して上下を接続し、しかも残存型枠（１）に貫通穴（1a）を利用して支持ボルト（７）と支持ナット（８）を椀状の座金部材（４）を介して取付け、基礎コンクリート（９）に固着した鉄筋杭（10）と支持ボルト（７）と間を支持棒（11）で支持することにより、枠組した残存型枠（１）を裏面側で支持させている。
【００２０】
残存型枠（１）の枠組が完了した後、図１（ｂ）に示すように化粧ブロック（２）を残存型枠（１）の表面に取付けるが、先ず、この取付ける化粧ブロック（２）について説明する。
【００２１】
上記化粧ブロック（２）は、天然石あるいは擬石等であり、その天然石材としては土木用、建築用の石材、御影石等であり、例えば大理石、御影石、花崗岩、大谷石等を含む。この化粧ブロック（２）の形状は、裏面側を平面にした四角形状のパネルであるが、形状としては、これに限定されず、三角形、多角形等でもよく、また、表面側が平面でなく、凹凸に加工すると天然石の味が出てよい。
【００２２】
次に化粧ブロック（２）の取付け方法について説明する。上記したように、残存型枠（１）の枠組が完了した後、その枠組した残存型枠（１）の表面に化粧ブロック（２）を設置させ、その状態で貫通穴（1a）にドリルを差し入れ、化粧ブロック（２）の裏面にアンカーボルト（３）用の溝穴（2a）を穿設させる。この溝穴（2a）は、少なくとも２箇所必要であり、溝穴（2a）の数と間隔は化粧ブロック（２）の大きさにより決定され、また間隔は自動的に残存型枠（１）の貫通穴（1a）の間隔と同一に穿設される。次いで、溝穴（2a）の穿設が完了した後に、そのままの状態で貫通穴（1a）に挿入したアンカーボルト（３）を溝穴（2a）に挿入して打ち込み、該アンカーボルト（３）の一方を溝穴（2a）に固着させる。この状態においては、アンカーボルト（３）の先端は貫通穴（1a）から残存型枠（１）の表面に突出している。そして突出したアンカーボルト（３）にナット（４）を螺合し締付ける。これにより化粧ブロック（２）は残存型枠（１）の表面に強固に取付けられるのである。
【００２３】
この取付けに使用するアンカーボルト（３）は、溝穴（2a）に挿入された側が打ち込むことにより拡張し、溝穴（2a）に固着されるものであるが、ナット（４）を締付けることにより、アンカーボルト（３）が溝穴（2a）内で拡張するタイプのものでもよい。
【００２４】
また請求項２では、上記したように残存型枠（１）の取付けが完了した後、その枠組した残存型枠（１）の表面に化粧ブロック（２）を仮設置し、その状態で貫通穴（1a）にドリルを差し入れ、前記化粧ブロック（２）の裏面に溝穴（2a）を穿設する。この際に溝穴（2a）は、少なくとも２箇所必要であり、溝穴（2a）の数とピッチは化粧ブロック（２）の大きさにより決定される。次いで、図３に示すように、前記化粧ブロック（２）を前記残存型枠（１）から外し、前記溝穴（2a）にアンカーナット（12）を打ち込み固着させる。そしてアンカーナット（12）にネジ棒（13）を螺合させ、そのネジ棒（13）を前記残存型枠（１）の表面側から前記貫通穴（1a）に挿通し化粧ブロック（２）を残存型枠（１）の表面に再度設置させ、前記残存型枠（１）の裏面側に突出したネジ棒（13）にナット（４）を螺合し締付ける。これにより前記残存型枠（１）に前記化粧ブロック（２）を強固に取付けられるのである。このようにして多数の化粧ブロック（２）を順次残存型枠（１）の表面に取付けられて化粧化を行う。
【００２５】
また、本発明の請求項３における化粧ブロック（２）の取付けは、図１（ｂ）の如く、残存型枠（１）の表面側から、その表面側に少なくとも支持ボルト（７）の頭部よりも長く突起する複数のスペーサー（14）を貫通穴（1a）に挿入する。このスペーサー（14）は略画鋲状の鉄製あるいはプラスチック製のものであり、残存型枠（１）と化粧ブロック（２）との隙間（イ）を確保する役目を成す。このスペーサー（14）を用いることにより、残存型枠（１）の表面側に突出する接続金具（６）や支持ボルト（７）が邪魔にならずに化粧ブロック（２）を残存型枠（１）に略平行に取付けられると共に、両者間に少なくとも支持ボルト（７）の頭の高さよりも広い隙間（イ）を設け、その隙間（イ）に打設コンクリートが流入し、その打設コンクリートが両者を強固に固着させる役目を成す。次いで、化粧ブロック（２）の裏面に溝穴（2a）を穿設し、アンカーボルト（３）あるいはアンカーナット（12）を溝穴（2a）に挿入し、ナット（４）、ネジ棒（13）等を使用して化粧ブロック（２）を残存型枠（１）に固着させるが、これらの方法は上記で説明したので省略する。
【００２６】
尚、この取付けに使用するアンカーナット（12）は、打ち込むことにより、溝穴（2a）内で拡張し固定されるタイプのものを含む。
【００２７】
また請求項１及び２において、化粧ブロック（２）を残存型枠（１）に取付けるのに、アンカーボルト（３）又はネジ棒（13）とナット（４）とを螺合する際に、座金部材（５）を介して螺合するのが好ましい。
【００２８】
この座金部材（５）は、図２、図３に示すように、全体が椀状で外径を座ぐり穴（1b）より大きくし、円周上に複数の窓穴（5a）を穿設させたものであり、この座金部材（５）を使用するのは、残存型枠（１）の裏面側に大きな座ぐり穴（1b）を形成したものを使用する場合に、ナット（４）がこの座ぐり穴（1b）に入り込み、ナット（４）を回しての締付けに手間を要するため、座ぐり穴（1b）を跨ぐ座金部材（５）を介してナット（４）で締付けることにより、ナット（４）が回し易く、作業性を高める。更に、座金部材（５）の窓穴（5a）からは、内部に打設コンクリートが流入され、座金部材（５）内に充填され、座金部材（５）の強度も増すと共に防錆効果を成す。
【００２９】
そして、残存型枠（１）に化粧ブロック（２）を取付けた後、枠組した残存型枠（１）内に生コンクリートが打設される。この際に、残存型枠（１）の貫通穴（1a）、つまりアンカーボルト（３）やネジ棒（13）が挿入されていない貫通穴（1a）から生コンクリートが流入し、貫通穴（1a）及び座ぐり穴（1b）に流入するため、その流入した生コンクリートにより、残存型枠（１）と化粧ブロック（２）とが強固に固着されると共に、全体が一体化し強度が高まる。
【産業上の利用可能性】
【００３０】
本発明は、コンクリート製の擁壁，砂防ダム，橋脚等の土木構造物及び建築構造物等に利用できる。
【図面の簡単な説明】
【００３１】
【図１】本発明の化粧方法を示す説明図である。
【図２】本発明のアンカーボルトを使用した要部拡大図である。
【図３】本発明のアンカーナットとネジ棒を使用した要部拡大図である。
【符号の説明】
【００３２】
１  残存型枠
1a  貫通穴
２  化粧ブロック
2a  溝穴
３  アンカーボルト
４  ナット
５  座金部材
12  アンカーナット
13  ネジ棒
14  スペーサー
イ  隙間
【図１】
2007046306.tif 000003
【図２】
2007046306.tif 000004
【図３】
2007046306.tif 000005